(57)【要約】      （修正有）【課題】把持することが容易な椅子を提供する。【解決手段】背フレーム体４１は、両側方に配置される一対の側方背フレーム部４１１と、各側方背フレーム部４１１の上端部間に架設される上方背フレーム部４１４とを備え、各側方背フレーム部４１１は、上端部に、後方に向けて湾曲する湾曲部４１１ｂを備え、上方背フレーム部４１４は、板状に形成されると共に、上下方向と直交又は略直交するように配置され、弾性の張材は、各側方背フレーム部４１１に固定される。【選択図】図９
2013183747.tif 000002
【特許請求の範囲】
【請求項１】
枠状に形成される背フレーム体と、背凭れ面を構成すべく、前記背フレーム体に固定される弾性の張材とを備え、
前記背フレーム体は、両側方に配置される一対の側方背フレーム部と、前記各側方背フレーム部の上端部間に架設される上方背フレーム部とを備え、
前記各側方背フレーム部は、上端部に、後方に向けて湾曲する湾曲部を備え、
前記上方背フレーム部は、板状に形成されると共に、上下方向と直交又は略直交するように配置され、
前記張材は、前記各側方背フレーム部に固定されることを特徴とする椅子。
【請求項２】
前記上方背フレーム部は、前記張材と前後方向で離間して配置されると共に、幅方向の中央側が下方に凸状となるように湾曲して形成される請求項１に記載の椅子。
【請求項３】
前記上方背フレーム部は、上面が上方に凸状となるように形成される請求項１又は２に記載の椅子。
【請求項４】
前記上方背フレーム部は、下面が下方に凸状となるように形成される請求項１〜３の何れか１項に記載の椅子。
【請求項５】
前記上方背フレーム部に着脱されるハンガー具をさらに備え、
前記ハンガー具は、前記上方背フレーム部と離間して配置され且つ幅方向に沿って配置される長尺なハンガー本体を備える請求項１〜４の何れか１項に記載の椅子。
【発明の詳細な説明】
【技術分野】
【０００１】
本発明は、背フレーム体に弾性の張材を固定させている椅子に関する。
【背景技術】
【０００２】
従来、枠状に形成される背フレーム体と、背凭れ面を形成すべく、背フレーム体に固定される弾性の張材とを備える椅子が知られている（例えば、特許文献１）。斯かる椅子によれば、背フレーム体には、両側方に配置される一対の側方背フレーム部と、各側方背フレーム部の上端部に架設される上方背フレーム部とが設けられており、例えば、椅子を移動させたり、回転させたりする際に、上方背フレーム部が把持される。
【先行技術文献】
【特許文献】
【０００３】
【特許文献１】特開２０１１−４５５６７号公報
【発明の概要】
【発明が解決しようとする課題】
【０００４】
ところで、特許文献１に係る椅子においては、板状に形成されている上方背フレーム部が、前後方向と略直交するように立設されているため、上方背フレーム部を把持することが困難である。それゆえ、上方背フレーム部を把持することが容易な椅子を提供して欲しいという要望がある。
【０００５】
よって、本発明は、斯かる事情に鑑み、把持することが容易な椅子を提供することを課題とする。
【課題を解決するための手段】
【０００６】
本発明に係る椅子は、枠状に形成される背フレーム体と、背凭れ面を構成すべく、前記背フレーム体に固定される弾性の張材とを備え、前記背フレーム体は、両側方に配置される一対の側方背フレーム部と、前記各側方背フレーム部の上端部間に架設される上方背フレーム部とを備え、前記各側方背フレーム部は、上端部に、後方に向けて湾曲する湾曲部を備え、前記上方背フレーム部は、板状に形成されると共に、上下方向と直交又は略直交するように配置され、前記張材は、前記各側方背フレーム部に固定されることを特徴とする。
【０００７】
本発明に係る椅子によれば、各側方背フレーム部の上端部間には、後方に向けて湾曲する湾曲部が設けられている。また、張材が各側方背フレーム部に固定されているため、張材の上部が弾性変形できる。そして、板状に形成される上方背フレーム部が、上下方向と直交又は略直交するように配置されているため、上方背フレーム部を容易に把持することができる。
【０００８】
また、本発明に係る椅子においては、前記上方背フレーム部は、前記張材と前後方向で離間して配置されると共に、幅方向の中央側が下方に凸状となるように湾曲して形成されてもよい。
【０００９】
斯かる構成の椅子によれば、上方背フレーム部が張材と前後方向で離間して配置されているため、張材の上部が後方に弾性変形できる。しかも、上方背フレーム部の幅方向の中央側が下方に凸状となるように湾曲して形成されているため、例えば、着座者が背凭れに支持され且つ背凭れを後方に傾かせた際に、着座者に対応するように張材の上部を弾性変形させることができ、しかも、このときに、着座者が上方背フレーム部に接触することを防止できる。
【００１０】
また、本発明に係る椅子においては、前記上方背フレーム部は、上面が上方に凸状となるように形成されてもよい。
【００１１】
斯かる構成の椅子によれば、上方背フレーム部の上面が上方に凸状となっている。これにより、把持される手の形に対応して、上方背フレーム部が形成されているため、上方背フレーム部をさらに容易に把持することができる。
【００１２】
また、本発明に係る椅子においては、前記上方背フレーム部は、下面が下方に凸状となるように形成されてもよい。
【００１３】
斯かる構成の椅子によれば、上方背フレーム部の下面が下方に凸状となっている。これにより、把持される手の形に対応して、上方背フレーム部が形成されているため、上方背フレーム部をさらに容易に把持することができる。
【００１４】
また、本発明に係る椅子においては、前記上方背フレーム部に着脱されるハンガー具をさらに備え、前記ハンガー具は、前記上方背フレーム部と離間して配置され且つ幅方向に沿って配置される長尺なハンガー本体を備えてもよい。
【００１５】
斯かる構成の椅子によれば、上方背フレーム部に着脱されるハンガー具が設けられているため、幅方向に沿って配置される長尺なハンガー本体に、衣類等を掛けることができる。しかも、ハンガー本体が上方背フレーム部と離間して配置されているため、ハンガー具が設けられているにも関わらず、上方背フレーム部を把持することができる。
【発明の効果】
【００１６】
以上の如く、本発明に係る椅子によれば、把持することが容易であるという優れた効果を奏する。
【図面の簡単な説明】
【００１７】
【図１】本発明の一実施形態に係る椅子の全体斜視図（正面、平面、左側面）を示す。
【図２】同実施形態に係る椅子の全体斜視図（背面、底面、右側面）を示す。
【図３】同実施形態に係る椅子の全体正面図を示す。
【図４】同実施形態に係る椅子の全体背面図を示す。
【図５】同実施形態に係る椅子の全体平面図を示す。
【図６】同実施形態に係る椅子の全体底面図を示す。
【図７】同実施形態に係る椅子の全体右側面図を示す。
【図８】同実施形態に係る椅子の全体左側面図を示す。
【図９】同実施形態に係る椅子の要部拡大背面図を示す。
【図１０】同実施形態に係る椅子の要部図であって、図９のＸ−Ｘ線拡大断面図を示す。
【図１１】同実施形態に係る椅子の要部拡大平面図を示す。
【図１２】同実施形態に係る椅子の要部拡大平面図を示す。
【図１３】本発明の他の実施形態に係る椅子の要部背面図を示す。
【図１４】同実施形態に係る椅子の要部右側面図を示す。
【図１５】本発明のさらに他の実施形態に係る椅子の要部背面図を示す。
【図１６】同実施形態に係る椅子の要部右側面図を示す。
【発明を実施するための形態】
【００１８】
以下、本発明に係る椅子における一実施形態について、図１〜図１２を参酌して説明する。
【００１９】
本実施形態に係る椅子は、図１〜図８に示すように、脚１と、脚１に支持される支持機構２とを備えている。また、椅子は、支持機構２に支持される座３と、支持機構２に支持される背凭れ４とを備えている。
【００２０】
なお、着座者が背凭れ４に背を着けて座３に座った際に、着座者の前後方向を「前後方向」とし、また、着座者の左右方向を「幅方向」とし、さらに、着座者の高さ方向を「上下方向」として、以下説明する。また、背凭れ４は、着座者の体重が作用していない状態（起立状態）で、前後方向と直交（又は、略直交）するように位置されており、前後方向に着座者の体重が作用すると、前後方向に傾動可能で前後方向と傾斜して交差するように位置される。したがって、特に記載がない場合には、背凭れ４が起立状態として、以下説明する。
【００２１】
脚１は、中心部に配置される脚支柱１１と、脚支柱１１の下部を固定する支柱固定部１２とを備える。また、脚１は、支柱固定部１２から放射状に突出する複数（本実施形態においては五つ）の脚羽根１３と、各脚羽根１３の先端部で且つ下部にそれぞれ取り付けられる複数（本実施形態においては五つ）のキャスター１４とを備える。
【００２２】
脚１は、背凭れ４が把持されて引いたり押したりされることで、載置される床上をキャスター１４が転動するため、床上を円滑に移動することができる。そして、脚支柱１１は、着座者の操作により伸縮可能に構成されており、それにより、支持機構２、座３及び背凭れ４は、昇降できる。
【００２３】
支持機構２は、脚１の脚支柱１１の上部を固定する支持基部２１を備える。また、支持機構２は、背凭れ４を支持すべく、支持基部２１と背凭れ４とを接続する一対の支持フレーム体２２，２２を備える。
【００２４】
支持基部２１は、背凭れ４が前後方向に傾動可能とすべく、各支持フレーム体２２を回転可能に接続する支持フレーム接続部２１１と、各支持フレーム体２２と座３とを接続し、支持フレーム体２２が回転することに伴って座３を移動させる座移動機構（図示していない）２１２とを備える。そして、支持基部２１は、背凭れ４を前方向に付勢させるべく、各支持フレーム体２２を付勢する付勢機構（図示していない）２１３を備える。
【００２５】
また、支持基部２１は、着座者が脚支柱１１を伸縮させる際に操作するための昇降レバー２１４と、着座者が背凭れ４を所望の角度位置でロックさせる際に操作するためのロックレバー２１５とを備える。さらに、支持基部２１は、着座者が付勢機構２１３の付勢力を調整する際に操作するための反力調整グリップ２１６を備える。
【００２６】
各支持フレーム体２２は、背凭れ４を支持すべく、背凭れ４と前後方向で対面する支持フレーム部２２１と、上下方向で離間して配置され、支持フレーム部２２１から背凭れ４に向けて突出する一対の突出部２２２，２２３とを備える。また、各支持フレーム体２２は、支持フレーム部２２１の下端部に、上端部を連結されるフレーム基部２２４を備える。
【００２７】
そして、各支持フレーム体２２は、フレーム基部２２４の下端部に連結され且つ支持基部２１の支持フレーム接続部２１１に接続される第１の被接続部２２５を備える。さらに、各支持フレーム体２２は、フレーム基部２２４から突出し且つ支持基部２１の座移動機構２１２に接続される第２の被接続部２２６を備える。
【００２８】
各支持フレーム部２２１は、一対の突出部２２２，２２３間に、持ち上げられる際に掴まれる掴み部２２１ａを備える。そして、各掴み部２２１ａは、掴み易くなるように、背凭れ４と対面する面、即ち、前面が前方に凸状となるように（具体的には、前面全体が前方に膨出するように）形成されている。また、上方側の各突出部２２２は、各支持フレーム部２２１の上端部から前方に突出していると共に、下方側の各突出部２２３は、各支持フレーム部２２１の中間部から前方に突出している。
【００２９】
座３は、支持基部２１に支持される硬質の座受３１と、座受３１の上面部に固定される軟質の座本体３２と、座本体３２を座受３１に対して前後方向にスライドさせる座本体移動機構（図示していない）３３とを備える。そして、座受３１は、支持基部２１の座移動機構２１２に接続され、各支持フレーム体２２が回転する、即ち、背凭れ４が前後方向に傾動することに伴って、上下方向で傾動し且つ全体的にも昇降する。
【００３０】
背凭れ４は、枠状に形成される背フレーム体４１を備える。また、背凭れ４は、着座者の腰部を支持するランバーサポート装置４２と、背フレーム体４１及びランバーサポート装置４２の前方側を覆うように、背フレーム体４１に固定され、前面で背凭れ面４ａを構成する弾性の張材４３とを備える。
【００３１】
背フレーム体４１は、図７〜図１１に示すように、背凭れ４における幅方向の両側方に配置される一対の側方背フレーム部４１１，４１１と、上下方向で離間して配置され、各側方背フレーム部４１１から支持フレーム部２２１に向けて突出する一対ずつの突出部４１２，４１３，４１２，４１３とを備える。
【００３２】
そして、背フレーム体４１は、一対の側方背フレーム部４１１，４１１の各上端部に架設される上方背フレーム部４１４を備えている。さらに、背フレーム体４１は、一対の側方背フレーム部４１１，４１１の各下端部に架設される下方背フレーム部４１５を備えている。
【００３３】
また、本実施形態において、背フレーム体４１は、各側方背フレーム部４１１、各突出部４１２，４１３、上方背フレーム部４１４及び下方背フレーム部４１５を一体に成形している。なお、本明細書において、一体に成形されている背フレーム体４１の各要素（各背フレーム部）を説明する上で、各背フレーム部４１１，４１４，４１５という名称を付している。
【００３４】
なお、背フレーム体４１は、引いたり押したりする際に把持される把持部４１ａを上部に備える。斯かる把持部４１ａは、張材４３に覆われておらず、露出されている。また、背フレーム体４１は、各側方背フレーム部４１１の上端部の内縁と上方背フレーム部４１４の側端部の内縁とに跨って、円弧状に形成される円弧部４１ｂを備える。
【００３５】
各側方背フレーム部４１１は、張材４３が着座者の腰部の形状に対応して形成されるように、前方に向けて凸状に湾曲するフレーム腰部４１１ａと、上端部に、後方に向けて湾曲する湾曲部４１１ｂを備える。また、各側方背フレーム部４１１は、板状に形成されている。そして、各側方背フレーム部４１１は、幅寸法が厚み寸法よりも大きくなるように形成されており、上方に行くほど顕著になるように形成されている。
【００３６】
また、各側方背フレーム部４１１は、張材４３に覆われている部位が前後方向と略直交（又は、直交）するように配置されていると共に、湾曲部４１１ｂが上下方向と略直交（又は、直交）するように配置されている。なお、左右一対の湾曲部４１１ｂ，４１１ｂは、後方（側方背フレーム部４１１の端部）に行くに従って、幅方向で互いに接近するように形成されている。
【００３７】
上方側の各突出部４１２は、各側方背フレーム部４１１のフレーム腰部４１１ａから後方に突出すると共に、各支持フレーム体２２の上方側の突出部２２２と連結されている。また、下方側の各突出部４１３は、各側方背フレーム部４１１の下端部から後方に突出すると共に、各支持フレーム体２２の下方側の突出部２２３と連結されている。
【００３８】
上方背フレーム部４１４は、板状に形成されていると共に、上下方向と直交（又は、略直交）するように配置されている。また、上方背フレーム部４１４は、後方側に、幅方向に沿って延びる溝部４１４ａを備えている。そして、上方背フレーム部４１４は、前後方向の寸法（幅寸法）が上下方向の寸法（厚み寸法）よりも大きくなるように、形成されている。さらに、上方背フレーム部４１４は、幅方向の中央側が下方に凸状となるように湾曲して形成されている。
【００３９】
また、上方背フレーム部４１４は、把持され易くなるように、上面４１４ｂが上方に凸状となるように（具体的には、上面４１４ｂ全体が上方に膨出するように）形成されている。しかも、上方背フレーム部４１４は、下面４１４ｃも下方に凸状となるように（具体的には、下面４１４ｃ全体が下方に膨出するように）形成されている。
【００４０】
斯かる背フレーム体４１においては、左右の側方背フレーム部４１１の上端部を後方に曲げて湾曲部４１１ｂを形成し、該湾曲部４１１ｂの後端部の対向する左右の側面部を繋ぐように、上方背フレーム部４１４が形成されている。具体的には、斯かる背フレーム体４１においては、左右の側方部分（各側方背フレーム部４１１）及び上方部分（上方背フレーム部４１４）が断面扁平の板状に形成されており、左右の側方部分の上端が後方に曲げ且つ左（右）方向にも曲げることで、上方部分が略水平面に沿って配置されている。
【００４１】
なお、張材４３は、上端縁が側方背フレーム部４１１の湾曲部４１１ｂよりも下方に位置するように配置されている。また、張材４３は、上端縁が各側方背フレーム部４１１の湾曲部４１１ｂよりも前方に位置するように配置されている。
【００４２】
そして、側方背フレーム部４１１は、張材４３の上端縁から上方及び後方に湾曲しながら延設され、その後、下方及び後方に湾曲しながら延設されている。しかも、上方背フレーム部４１４の左右の各端部が側方背フレーム部４１４の後端部の内側部と連結しているため、上方背フレーム部４１４は、張材４３の上部が後方に弾性変形するように、張材４３と前後方向で離間して配置されている。
【００４３】
張材４３は、左右の各側端部が各側方背フレーム部４１１に固定されており、上縁部が自由に変位できる自由端となっている。そして、張材４３は、弾性を有しており、着座者の荷重に追従して弾性変形する。本実施形態において、張材４３は、合成樹脂等の糸を織成又は編成してなるメッシュ状の素材で形成されている。
【００４４】
以上より、本実施形態に係る椅子によれば、各側方背フレーム部４１１の上端部には、後方に向けて湾曲する湾曲部４１１ｂが設けられている。また、張材４３が各側方背フレーム部４１１に固定されており、張材４３の上縁部が上方背フレーム部４１４と前後方向で離間しているため、張材４３の上部が弾性変形できる。
【００４５】
これにより、上方背フレーム部４１４と張材４３との間に手を容易に入れることができる。しかも、板状に形成される上方背フレーム部４１４が、上下方向と略直交するように配置されているため、上方背フレーム部４１４を容易に把持することができる。
【００４６】
また、本実施形態に係る椅子によれば、上方背フレーム部４１４が張材４３と前後方向で離間して配置されているため、張材４３の上部が後方に弾性変形する。これにより、例えば、着座者が背凭れ４に支持され且つ背凭れ４を後方に傾かせた際に、着座者に対応するように張材４３の上部を弾性変形させることができる。
【００４７】
具体的には、図１２に示すように、張材４３の幅方向中央側の上部が後方に凸状となるように弾性変形する。このとき、上方背フレーム部４１４の幅方向の中央側が下方に凸状となるように湾曲して形成されているため、着座者が上方背フレーム部４１４に接触することを防止できる。
【００４８】
また、本実施形態に係る椅子によれば、上方背フレーム部４１４の上面４１４ｂが上方に凸状となっている。これにより、把持される手の形に対応して、上方背フレーム部４１４が形成されているため、上方背フレーム部４１４をさらに容易に把持することができる。
【００４９】
また、本実施形態に係る椅子によれば、上方背フレーム部４１４の下面４１４ｃが下方に凸状となっている。これにより、把持される手の形に対応して、上方背フレーム部４１４が形成されているため、上方背フレーム部４１４をさらに容易に把持することができる。
【００５０】
なお、本発明に係る椅子は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００５１】
本発明に係る椅子においては、図１３〜図１６に示すように、上方背フレーム部４１４に着脱されるハンガー具５，６をさらに備えてもよい。斯かるハンガー具５，６は、幅方向に沿って配置される長尺なハンガー本体５１，６１と、上方背フレーム部４１４に着脱されるハンガー着脱部５２，６２と、上方背フレーム部４１４とハンガー本体５１，６１とを離間させるべく、ハンガー本体５１，６１とハンガー着脱部５２，６２とを接続するハンガー接続部５３，６３とを備える
【００５２】
図１３〜図１６に係る椅子によれば、上方背フレーム部４１４に着脱されるハンガー具５，６が設けられているため、幅方向に沿って配置される長尺なハンガー本体５１，６１に、衣類等を掛けることができる。これにより、椅子に衣類掛けの機能を付加させることができる。
【００５３】
しかも、ハンガー本体５１，６１とハンガー着脱部５２，６２とを接続するハンガー接続部５３，６３が、上方背フレーム部４１４とハンガー本体５１，６１と離間をして配置させている。これにより、ハンガー具５，６が設けられているにも関わらず、上方背フレーム部４１４を把持することができる。
【００５４】
なお、図１３及び図１４に係る椅子によれば、ハンガー本体５１が上方背フレーム部４１４よりも上方側に配置されている。斯かる構成によれば、ハンガー本体６１に丈の長い衣類を掛けることができる。また、背フレーム体４１の上方の左右両端部に、円弧部４１ｂが設けられているため、衣類を掛けた状態でも、円弧部４１ｂを把持することができる。
【００５５】
また、図１５及び図１６に係る椅子によれば、ハンガー本体６１が上方背フレーム部４１４よりも下方側に配置されている。斯かる構成によれば、ハンガー本体６１に衣類が掛けられた状態でも、上方背フレーム部４１４を把持することができる。
【００５６】
また、本発明に係る椅子は、着座者の頭部を後方側から支持すべく、上方背フレーム部４１４に着脱されるヘッドレスト具をさらに備える構成でもよい。斯かるヘッドレスト具は、上方背フレーム部４１４の上方に配置されるヘッドレスト本体と、上方背フレーム部４１４に着脱されるヘッドレスト着脱部と、上方背フレーム部４１４とヘッドレスト本体とを接続するヘッドレスト接続部とを備えている。
【００５７】
また、上記実施形態に係る椅子においては、上方背フレーム部４１４と張材４３とが離間して配置される構成を説明したが、斯かる構成に限られない。例えば、上方背フレーム部と張材とは、当接して配置される構成でもよい。
【００５８】
また、上記実施形態に係る椅子においては、上方背フレーム部４１４は、幅方向の中央側が下方に凸状となるように湾曲して形成される構成を説明したが、斯かる構成に限られない。例えば、上方背フレーム部は、幅方向の中央側が上方に凸状になるように湾曲して形成される構成でもよく、また、幅方向で凹凸状に形成される構成でもよく、さらに、水平面に沿って形成される構成でもよい。
【００５９】
また、上記実施形態に係る椅子においては、上方背フレーム部４１４は、前後方向において、張材４３の上端縁と平行（又は、略平行）となるように配置される構成を説明したが、斯かる構成に限られない。
【００６０】
例えば、上方背フレーム部は、幅方向の中央側が後方に向けて凸状になるように湾曲して形成される構成でもよく、また、上方背フレーム部における内縁（前端縁）の中央側が後方に凹状となるように形成される構成でもよい。斯かる構成によれば、着座者が背凭れに支持され且つ背凭れを後方に傾かせた際に、着座者が上方背フレーム部に接触することをさらに抑制できる。
【００６１】
また、上記実施形態に係る椅子においては、背フレーム体４１は、各側方背フレーム部４１１、上方背フレーム部４１４及び下方背フレーム部４１５を一体に成形している構成を説明したが、斯かる構成に限られない。例えば、背フレーム体は、各側方背フレーム部、上方背フレーム部及び下方背フレーム部の少なくとも一つを別部材で成形し、複数の部材を組み合わせることで形成される構成でもよい。
【００６２】
また、上記実施形態に係る椅子においては、脚１には、キャスター１４が設けられており、押したり引いたりすることで、脚１が床上を円滑に移動できる構成、即ち、移動脚である構成を説明したが、斯かる構成に限られない。例えば、脚は、キャスターが設けられていない構成、即ち、固定脚である構成でもよい。
【符号の説明】
【００６３】
１…脚、２…支持機構、３…座、４…背凭れ、４ａ…背凭れ面、５，６…ハンガー具、４１…背フレーム体、４２…ランバーサポート装置、４３…張材、５１，６１…ハンガー本体、４１１…側方背フレーム部、４１１ｂ…湾曲部、４１４…上方背フレーム部、４１４ｂ…上面、４１４ｃ…下面
【図１】
2013183747.tif 000003
【図２】
2013183747.tif 000004
【図３】
2013183747.tif 000005
【図４】
2013183747.tif 000006
【図５】
2013183747.tif 000007
【図６】
2013183747.tif 000008
【図７】
2013183747.tif 000009
【図８】
2013183747.tif 000010
【図９】
2013183747.tif 000011
【図１０】
2013183747.tif 000012
【図１１】
2013183747.tif 000013
【図１２】
2013183747.tif 000014
【図１３】
2013183747.tif 000015
【図１４】
2013183747.tif 000016
【図１５】
2013183747.tif 000017
【図１６】
2013183747.tif 000018